(57)【要約】【解決手段】挟持面１６，１９の両端部１６ａ，１６ｂ，１９ａ，１９ｂを通る想定水平面Ｈに対し直交して両端部１６ａ，１６ｂ，１９ａ，１９ｂを互いに結ぶ方向Ｙへ並ぶ各想定鉛直面ＶＹが挟持面１６，１９と交差する各交差部２０のうち、想定鉛直面ＶＹで想定水平面Ｈに対しなす鉛直距離ＬＶが最大となる挟持面１６，１９の最大高さ交差部２０Ｖは、挟持面１６，１９の両端部１６ａ，１６ｂ，１９ａ，１９ｂ間の中央位置１６ｃ，１９ｃを通る想定鉛直面ＶＹよりも一方の端部１６ａ，１９ａ側に位置している。【効果】鼻側に片寄ったへの字形状になっている左目や右目のまつ毛の形態に合った挟持面１６，１９の形態とすることで、両挟持面１６，１９間でまつ毛を挟持する際にまつ毛の形態に対し挟持面１６，１９の形態を合わせ易くして使い勝手を良くし、まつ毛のカ−ルを良好に行い得る。【選択図】図５
2010162188.tif 000002
【特許請求の範囲】
【請求項１】
互いに接近離間する両挟持面間でまつ毛を挟持することができるまつ毛カ−ル器において、この挟持面における延設方向の両端部を通る想定水平面に対し直交してその両端部を互いに結ぶ方向へ並ぶ各想定鉛直面が挟持面と交差する各交差部のうち、この想定鉛直面上でこの想定水平面に対しなす鉛直距離が最大となる挟持面上の最大高さ交差部は、挟持面の両端部間の中央位置を通る想定鉛直面よりも一方の端部側に位置していることを特徴とするまつ毛カ−ル器。
【請求項２】
前記挟持面の延設線全体は、前記最大高さ交差部と前記挟持面の両端部とを通る両想定傾斜面と前記想定水平面とによりなす領域の外側に位置するように設定されていることを特徴とする請求項１に記載のまつ毛カ−ル器。
【請求項３】
前記挟持面の延設線全体は、前記領域の外側に膨らむ凸状に設定されていることを特徴とする請求項２に記載のまつ毛カ−ル器。
【請求項４】
前記挟持面の延設線全体は鉛直方向へ湾曲しているとともに水平方向へ湾曲し、前記想定水平面に対し直交してその両端部を互いに結ぶ方向へ並ぶ各想定鉛直面が挟持面と交差する各交差部のうち、前記挟持面の両端部を通る想定鉛直面に対しなす水平距離が最大となる挟持面上の最大幅交差部は、前記最大高さ交差部と異なる位置に設定されていることを特徴とする請求項１または請求項２または請求項３に記載のまつ毛カ−ル器。
【請求項５】
互いに接近離間する両挟持面間でまつ毛を挟持することができるまつ毛カ−ル器において、この挟持面の延設線全体は鉛直方向へ湾曲しているとともに水平方向へ湾曲し、この挟持面における延設方向の両端部を通る想定水平面に対し直交してその両端部を互いに結ぶ方向へ並ぶ第一の各想定鉛直面が挟持面と交差する各交差部のうち、この第一の想定鉛直面上でこの想定水平面に対しなす鉛直距離が最大となる挟持面上の最大高さ交差部と、前記挟持面の両端部を通る第二の想定鉛直面に対しなす水平距離が最大となる挟持面上の最大幅交差部とは、互いに異なる位置に設定されている
ことを特徴とするまつ毛カ−ル器。
【請求項６】
互いに接近離間する両挟持面間でまつ毛を挟持することができるまつ毛カ−ル器において、この挟持面における延設方向の両端部を通る第二の想定鉛直面に対し直交してその両端部を互いに結ぶ方向へ並ぶ第一の各想定鉛直面が挟持面と交差する各交差部のうち、この第一の想定鉛直面上でこの第二の想定鉛直面に対しなす水平距離が最大となる挟持面上の最大幅交差部は、挟持面の両端部間の中央位置を通る第一の想定鉛直面よりも一方の端部側に位置していることを特徴とするまつ毛カ−ル器。
【発明の詳細な説明】
【技術分野】
【０００１】
本発明は、互いに接近離間する両挟持面間でまつ毛を挟持することができるまつ毛カ−ル器に関するものである。
【背景技術】
【０００２】
従来、下記特許文献１に開示されたまつ毛カ−ル器では、上下方向へ互いに接近離間する上下両挟持面における延設方向の両端部を通る想定水平面に対し直交してその両端部を互いに結ぶ左右方向へ並ぶ各想定鉛直面が挟持面と交差する各交差部のうち、この想定鉛直面上でこの想定水平面に対しなす鉛直距離が最大となる挟持面上の最大高さ交差部は、挟持面の両端部間の中央位置を通る想定鉛直面上に位置している。また、下記特許文献１に開示されたまつ毛カ−ル器では、挟持面における延設方向の両端部を通る第二の想定鉛直面に対し直交してその両端部を互いに結ぶ方向へ並ぶ第一の各想定鉛直面が挟持面と交差する各交差部のうち、この第一の想定鉛直面上でこの第二の想定鉛直面に対しなす水平距離が最大となる挟持面上の最大幅交差部は、挟持面の両端部間の中央位置を通る第一の想定鉛直面上に位置している。すなわち、挟持面は左右方向で線対称形状に形成されている。
【先行技術文献】
【特許文献】
【０００３】
【特許文献１】特開２００１―２０４５３５号公報
【発明の概要】
【発明が解決しようとする課題】
【０００４】
上記特許文献１に開示されたまつ毛カ−ル器では、鼻側に片寄ったへの字形状に湾曲しているばかりでなく顔面から前方へ膨らむように湾曲している左目のまつ毛の形態や右目のまつ毛の形態に対し、前述したように線対称形状に形成された挟持面の形態を合わせにくいので、両挟持面間でまつ毛を挟持しにくくなって使い勝手が悪くなっていた。
【０００５】
この発明は、まつ毛カ−ル器において、まつ毛の形態に合った挟持面の形態とすることにより、まつ毛のカ−ルを良好に行い得るように挟持面の形態を改良することを目的としている。
【課題を解決するための手段】
【０００６】
後記実施形態の図面（図１〜７）の符号を援用して本発明を説明する。
請求項１の発明にかかるまつ毛カ−ル器は、下記のように構成されている。
このまつ毛カ−ル器は、互いに接近離間する両挟持面１６，１９間でまつ毛を挟持することができる。この挟持面１６，１９における延設方向の両端部１６ａ，１６ｂ，１９ａ，１９ｂを通る想定水平面Ｈに対し直交してその両端部１６ａ，１６ｂ，１９ａ，１９ｂを互いに結ぶ方向Ｙへ並ぶ各想定鉛直面ＶＹが挟持面１６，１９と交差する各交差部２０のうち、この想定鉛直面ＶＹ上でこの想定水平面Ｈに対しなす鉛直距離ＬＶが最大となる挟持面１６，１９上の最大高さ交差部２０Ｖは、挟持面１６，１９の両端部１６ａ，１６ｂ，１９ａ，１９ｂ間の中央位置１６ｃ，１９ｃを通る想定鉛直面ＶＹよりも一方の端部１６ａ，１９ａ側に位置している。
【０００７】
請求項１の発明では、両挟持面１６，１９間でまつ毛を挟持する際に、鼻側に片寄ったへの字形状になっている左目のまつ毛の形態や右目のまつ毛の形態に対しその挟持面１６，１９の形態を合わせ易くして、両挟持面１６，１９間でまつ毛を挟持し易くし、使い勝手を良くすることができる。
【０００８】
請求項１の発明を前提とする請求項２の発明において、前記挟持面１６，１９の延設線全体は、前記最大高さ交差部２０Ｖと前記挟持面１６，１９の両端部１６ａ，１６ｂ，１９ａ，１９ｂとを通る両想定傾斜面Ｓと前記想定水平面Ｈとによりなす領域Ｔの外側に位置するように設定されている。請求項２の発明では、まつ毛の形態に挟持面１６，１９の形態をより一層合わせ易くして使い勝手を良くすることができる。
【０００９】
請求項２の発明を前提とする請求項３の発明において、前記挟持面１６，１９の延設線全体は、前記領域Ｔの外側に膨らむ凸状に設定されている。請求項３の発明では、まつ毛の形態に挟持面１６，１９の形態をより一層合わせ易くして使い勝手を良くすることができる。
【００１０】
請求項１または請求項２または請求項３の発明を前提とする請求項４の発明において、前記挟持面１６，１９の延設線全体は鉛直方向Ｚへ湾曲しているとともに水平方向Ｘへ湾曲し、前記想定水平面Ｈに対し直交してその両端部１６ａ，１６ｂ，１９ａ，１９ｂを互いに結ぶ方向Ｙへ並ぶ各想定鉛直面ＶＹが挟持面１６，１９と交差する各交差部２０のうち、前記挟持面１６，１９の両端部１６ａ，１６ｂ，１９ａ，１９ｂを通る想定鉛直面ＶＸに対しなす水平距離ＬＨが最大となる挟持面１６，１９上の最大幅交差部２０Ｈは、前記最大高さ交差部２０Ｖと異なる位置に設定されている。請求項４の発明では、実際のまつ毛が鼻側に片寄ったへの字形状に湾曲しているばかりでなく顔面から前方へ膨らむように湾曲していることに鑑み、まつ毛の形態に挟持面１６，１９の形態をより一層合わせ易くして使い勝手を良くすることができる。
【００１１】
請求項５の発明にかかるまつ毛カ−ル器は、下記のように構成されている。
このまつ毛カ−ル器は、互いに接近離間する両挟持面１６，１９間でまつ毛を挟持することができる。この挟持面１６，１９の延設線全体は鉛直方向Ｚへ湾曲しているとともに水平方向Ｘへ湾曲している。この挟持面１６，１９における延設方向の両端部１６ａ，１６ｂ，１９ａ，１９ｂを通る想定水平面Ｈに対し直交してその両端部１６ａ，１６ｂ，１９ａ，１９ｂを互いに結ぶ方向Ｙへ並ぶ第一の各想定鉛直面ＶＹが挟持面１６，１９と交差する各交差部２０のうち、この第一の想定鉛直面ＶＹ上でこの想定水平面Ｈに対しなす鉛直距離ＬＶが最大となる挟持面１６，１９上の最大高さ交差部２０Ｖと、前記挟持面１６，１９の両端部１６ａ，１６ｂ，１９ａ，１９ｂを通る第二の想定鉛直面ＶＸに対しなす水平距離ＬＨが最大となる挟持面１６，１９上の最大幅交差部２０Ｈとは、互いに異なる位置に設定されている。
【００１２】
請求項５の発明では、実際のまつ毛が鼻側に片寄ったへの字形状に湾曲しているばかりでなく顔面から前方へ膨らむように湾曲していることに鑑み、左目のまつ毛の形態や右目のまつ毛の形態に挟持面１６，１９の形態を合わせ易くして、両挟持面１６，１９間でまつ毛を挟持し易くし、使い勝手を良くすることができる。
【００１３】
請求項６の発明にかかるまつ毛カ−ル器は、特に図７に示すように、下記のように構成されている。
このまつ毛カ−ル器は、互いに接近離間する両挟持面１６，１９間でまつ毛を挟持することができる。この挟持面１６，１９における延設方向の両端部１６ａ，１６ｂ，１９ａ，１９ｂを通る第二の想定鉛直面ＶＸに対し直交してその両端部１６ａ，１６ｂ，１９ａ，１９ｂを互いに結ぶ方向Ｙへ並ぶ第一の各想定鉛直面ＶＹが挟持面１６，１９と交差する各交差部２０のうち、この第一の想定鉛直面ＶＹ上でこの第二の想定鉛直面ＶＸに対しなす水平距離ＬＨが最大となる挟持面１６，１９上の最大幅交差部２０Ｈは、挟持面１６，１９の両端部１６ａ，１６ｂ，１９ａ，１９ｂ間の中央位置１６ｃ，１９ｃを通る想定鉛直面ＶＹよりも一方の端部１６ａ，１９ａ側に位置している。
【００１４】
請求項６の発明では、両挟持面１６，１９間でまつ毛を挟持する際に、顔面から前方へ膨らむように湾曲している左目のまつ毛の形態や右目のまつ毛の形態に対しその挟持面１６，１９の形態を合わせ易くして、両挟持面１６，１９間でまつ毛を挟持し易くし、使い勝手を良くすることができる。
【００１５】
次に、請求項以外の技術的思想について実施形態の図面の符号を援用して説明する。
請求項１から請求項４のうちいずれか一つの請求項の発明を前提とする第７の発明において、前記挟持面１６，１９上の各交差部２０がなす前記鉛直距離ＬＶを、前記挟持面１６，１９の両端部１６ａ，１６ｂ，１９ａ，１９ｂから前記最大高さ交差部２０Ｖに向うに従い次第に大きくするように、挟持面１６，１９の延設線を設定した。第７の発明では、まつ毛の形態に挟持面１６，１９の形態をより一層合わせ易くして使い勝手を良くすることができる。
【００１６】
請求項１から請求項４のうちいずれか一つの請求項の発明、または第７の発明を前提とする第８の発明において、前記挟持面１６，１９の延設線に対する接線を含む面Ｆが想定水平面Ｈに対しなす傾き角θを、前記挟持面１６，１９の両端部１６ａ，１６ｂ，１９ａ，１９ｂから前記最大高さ交差部２０Ｖに向うに従い次第に小さくするように、挟持面１６，１９の延設線を設定した。第８の発明では、まつ毛の形態に挟持面１６，１９の形態をより一層合わせ易くして使い勝手を良くすることができる。
【００１７】
請求項１から請求項４のうちいずれか一つの請求項の発明、または、第７〜８の発明のうちいずれか一つの発明を前提とする第９の発明において、前記挟持面１６，１９の延設線全体は、互いに曲率半径の異なる単数の曲線を複数連続させた曲線からなる。第９の発明では、まつ毛の形態に挟持面１６，１９の形態をより一層合わせ易くして使い勝手を良くすることができる。
【００１８】
請求項１から請求項４のうちいずれか一つの請求項の発明、または、第７〜９の発明のうちいずれか一つの発明を前提とする第１０の発明において、前記両挟持面１６，１９のうち少なくとも一方の挟持面１９は弾性体１８に設けられ、他方の挟持面１６に対し相対向する弾性体１８の挟持面１９には挟持面１９の延設線に沿って延びる溝１８ａを設けた。第１０の発明では、両挟持面１６，１９間でまつ毛を確実に挟持して使い勝手を良くすることができる。
【００１９】
請求項１から請求項４のうちいずれか一つの請求項の発明、または、第７〜１０の発明のうちいずれか一つの発明を前提とする第１１の発明において、前記各想定鉛直面ＶＹが両挟持面１６，１９と交差する両交差部２０間の鉛直距離ＭＶは、両挟持面１６，１９の両端部１６ａ，１６ｂ，１９ａ，１９ｂ間全体にわたり等しく設定されている。第１１の発明では、両挟持面１６，１９間でまつ毛を同時に挟持して位置決めし、使い勝手を良くすることができる。
【００２０】
請求項１から請求項４のうちいずれか一つの請求項の発明、または、第７〜１１の発明のうちいずれか一つの発明を前提とする第１２の発明において、前記挟持面１６，１９の最大高さ交差部２０Ｖは、挟持面１６，１９の両端部１６ａ，１６ｂ，１９ａ，１９ｂ間の中央位置１６ｃ，１９ｃを通る想定鉛直面ＶＹよりも一方の端部１６ａ，１９ａ側にのみ位置している。第１２の発明では、まつ毛の形態に挟持面１６，１９の形態をより一層合わせ易くして使い勝手を良くすることができる。
【００２１】
請求項１から請求項４のうちいずれか一つの請求項の発明、または、第７〜１２の発明のうちいずれか一つの発明を前提とする第１３の発明において、前記挟持面１６，１９の最大高さ交差部２０Ｖは一つのみ設けられている。第１３の発明では、まつ毛の形態に挟持面１６，１９の形態をより一層合わせ易くして使い勝手を良くすることができる。
【００２２】
請求項１から請求項４のうちいずれか一つの請求項の発明、または、第７〜１３の発明のうちいずれか一つの発明を前提とする第１４の発明（特に図６参照）において、前記両挟持面１６，１９のうち少なくとも一方の挟持面１９は弾性体１８に形成され、一方の挟持面１９の最大高さ交差部２０Ｖと他方の挟持面１６の最大高さ交差部２０Ｖとが互いに当接した後、それらの最大高さ交差部２０Ｖ側から両端部１６ａ，１６ｂ，１９ａ，１９ｂ側へ至る両挟持面１６，１９も次第に当接した状態では、最大高さ交差部２０Ｖ側で最大の挟持力が生じ、両端部１６ａ，１６ｂ，１９ａ，１９ｂ側に至るに従い挟持力が小さくなるように、挟持面１６，１９の延設線が設定されている。第１４の発明では、両挟持面１６，１９を次第に接近させて両挟持面１６，１９間でまつ毛を挟持する際、まつ毛の挟持当初にまつ毛を確実に挟持して位置決めした後、最大高さ交差部２０Ｖ側と両端部１６ａ，１６ｂ，１９ａ，１９ｂ側とで挟持力に変化を持たせて、まつ毛に対する挟持感覚を良くし、使い勝手を良くすることができる。
【発明の効果】
【００２３】
本発明は、まつ毛カ−ル器において、まつ毛の形態に合った挟持面１６，１９の形態とすることにより、使い勝手を良くしてまつ毛のカ−ルを良好に行うことができる。従って、左目のまつ毛または右目のまつ毛に適したまつ毛カ−ル器を提供することができる。
【図面の簡単な説明】
【００２４】
【図１】（ａ）は本実施形態にかかる左目用まつ毛カ−ル器の不使用状態においてその正面側を示す斜視図であり、（ｂ）は同じくその背面側を示す斜視図であり、（ｃ）は同じく縦断面図である。
【図２】（ａ）は本実施形態にかかる左目用まつ毛カ−ル器の不使用状態においてその正面図であり、（ｂ）は本実施形態にかかる右目用まつ毛カ−ル器の不使用状態においてその正面図である。
【図３】（ａ）は図２（ａ）のＡ−Ａ線拡大断面図であり、（ｂ）は図２（ａ）のＢ−Ｂ線拡大断面図である。
【図４】（ａ）は本実施形態にかかる左目用まつ毛カ−ル器の使用状態において操作レバーに対する操作前状態を示す縦断面図であり、（ｂ）は同じく操作レバーに対する操作後状態を示す縦断面図であり、（ｃ）は同じく操作レバーに対する操作後状態を示す正面図である。
【図５】（ａ）は図２（ａ）に示す両挟持面を示す模式図であり、（ｂ）は図４（ｃ）に示す両挟持面の非圧接状態を示す模式図であり、（ｃ）は図４（ｃ）に示す両挟持面の圧接状態を示す模式図である。
【図６】（ａ）は本実施形態の別例１にかかる左目用まつ毛カ−ル器の不使用状態において操作レバーに対する操作前状態にある両挟持面を示す模式図であり、（ｂ）は同じく操作レバーに対する操作後状態にある両挟持面の非圧接状態を示す模式図であり、（ｃ）は同じく操作レバーに対する操作後状態にある両挟持面の圧接状態を示す模式図である。
【図７】（ａ）は本実施形態の別例２にかかる左目用まつ毛カ−ル器の不使用状態において図３（ａ）に相当する拡大断面図であり、（ｂ）は図３（ｂ）に相当する拡大断面図である。
【発明を実施するための形態】
【００２５】
以下、本発明の一実施形態にかかるまつ毛カ−ル器について図１〜７を参照して説明する。
図１、図２（ａ）及び図３に示す左目用まつ毛カ−ル器において、プラスチックにより成形された固定部材１は、前後方向Ｘに配設されて互いに一体的に取着された前側壁部材２と後側壁部材３とからなる。この後側壁部材３における左右方向Ｙの両側から縦枠部４が上方へ延設され、この左右両縦枠部４の上端部間には横枠部５が左右方向Ｙへ架設されてこの前側壁部材２の上端部に対し上下方向Ｚで対向している。この前側壁部材２と後側壁部材３との間に形成された空洞部６でその左右方向Ｙの中央に形成されたばね孔（図示せず）に圧縮コイルばね７が支持されている。
【００２６】
図１、図２（ａ）及び図３に示す左目用まつ毛カ−ル器において、プラスチックにより成形された可動体８は、この空洞部６に対し上下方向Ｚへ移動可能に挿嵌され、前記ばね孔（図示せず）の左右方向Ｙの両側で空洞部６に挿嵌された縦枠部９と、この左右両縦枠部９の上端部間で左右方向Ｙへ架設された横枠部１０とを有している。この左右両縦枠部９の下端部間がこの圧縮コイルばね７により付勢されてこの可動体８が下方へ移動して待機位置Ｐで停止している。この後側壁部材３の左右両縦枠部４間に左右方向Ｙへ架設された支軸１１において、その左右両縦枠部４間の中央には操作レバー１２が上下方向Ｚへ回動可能に支持されているとともに、その左右両縦枠部４とこの操作レバー１２との間で押圧レバー１３が上下方向Ｚへ回動可能に支持されている。この可動体８の左右両縦枠部９に形成された切欠部１４には前後両壁部材２，３間の空洞部６内でこの左右両押圧レバー１３が係入されている。
【００２７】
前記後側壁部材３の横枠部５には左右方向Ｙへ延びる尖端縁１５が前後方向Ｘの厚みを下側に向かうほど狭くするように形成され、その尖端縁１５には上側挟持面１６が下向きに形成されている。前記可動体８の横枠部１０には左右方向Ｙへ延びる押圧縁部１７が形成されているとともに、その押圧縁部１７にはゴム等からなる弾性体１８がその押圧縁部１７に沿って着脱可能に嵌着され、その弾性体１８には前記上側挟持面１６に面する下側挟持面１９が形成されている。この弾性体１８の下側挟持面１９には左右方向Ｙに沿って延びる溝１８ａが形成されている。
【００２８】
図２（ａ）の模式図である図５（ａ）と、図４（ｃ）の模式図である図５（ｂ）（ｃ）とに示すように、前記上側挟持面１６及び下側挟持面１９は、それぞれ、下記のように構成されている。
【００２９】
前記挟持面１６，１９の延設線全体は、それぞれ、図５（ａ）に示すように上下方向Ｚである鉛直方向のうち上方へ湾曲して互いに曲率半径の異なる単数の円弧曲線を複数連続させた曲線からなっているとともに、図３（ａ）（ｂ）に示すように前後方向Ｘである水平方向のうち後方へ湾曲して単数の円弧曲線または互いに曲率半径の異なる単数の円弧曲線を複数連続させた曲線からなっている。この挟持面１６または１９における延設線の延設方向の両端部１６ａ，１６ｂまたは１９ａ，１９ｂを同時に通る一つの想定水平面をＨとし、その特定想定水平面Ｈに対し直交してその両端部１６ａ，１６ｂまたは１９ａ，１９ｂを互いに結ぶ左右方向Ｙへ並ぶ多数の想定鉛直面をＶＹとした場合、その各想定鉛直面ＶＹが挟持面１６または１９と交差する多数の交差部２０のうち、この各想定鉛直面ＶＹ上でこの想定水平面Ｈに対しなす鉛直距離ＬＶが最大となる挟持面１６または１９上の最大高さ交差部２０（２０Ｖ）は、挟持面１６または１９の両端部１６ａ，１６ｂまたは１９ａ，１９ｂ間の中央位置１６ｃまたは１９ｃを通る想定鉛直面ＶＹよりも一方の端部１６ａまたは１９ａ側で一つのみ形成され、この最大高さ交差部２０（２０Ｖ）を通る想定鉛直面ＶＹに対し一方の端部１６ａ，１９ａがなす水平距離Ｎ１と他方の端部１６ｂ，１９ｂがなす水平距離Ｎ２との比（Ｎ１：Ｎ２）は、（２：３）に設定され、（１：４）〜（４：５）に設定することが好ましい。前記最大高さ交差部２０（２０Ｖ）と挟持面１６または１９の両端部１６ａ，１６ｂまたは１９ａ，１９ｂのうちいずれかとを同時に通る両想定傾斜面をＳとした場合、前記挟持面１６または１９の延設線全体は、その両想定傾斜面Ｓと前記想定水平面Ｈとによりなす領域Ｔの外側に位置してその領域Ｔの外側に膨らむ凸状に設定されている。前記挟持面１６または１９の延設線に対する接線を含む面Ｆが想定水平面Ｈに対しなす傾き角をθとした場合、前記挟持面１６または１９の両端部１６ａ，１６ｂまたは１９ａ，１９ｂから前記最大高さ交差部２０（２０Ｖ）に向うに従い、その傾き角θが次第に小さくなるように、且つ、前記鉛直距離ＬＶが次第に大きくなるように、挟持面１６または１９の延設線が設定されている。前記各想定鉛直面ＶＹが上下両挟持面１６または１９と交差する上下両交差部２０間の鉛直距離ＭＶは、上下両挟持面１６または１９の両端部１６ａ，１６ｂまたは１９ａ，１９ｂ間全体にわたり等しく設定され、約７ｍｍに設定されているが、３〜１５ｍｍに設定することが好ましい。
【００３０】
また、図３（ａ）（ｂ）に示すように、前記挟持面１６または１９の両端部１６ａ，１６ｂまたは１９ａ，１９ｂを同時に通る一つの想定鉛直面をＶＸとした場合、前記各想定鉛直面ＶＹが挟持面１６または１９と交差する各交差部２０のうち、その想定鉛直面ＶＸに対しなす水平距離ＬＨは、約１．０ｍｍに設定されているが、０．５〜３．０ｍｍに設定することが好ましく、その水平距離ＬＨが最大となる挟持面１６または１９上の最大幅交差部２０（２０Ｈ）は、前記最大高さ交差部２０（２０Ｖ）と異なる位置で、挟持面１６または１９の両端部１６ａ，１６ｂまたは１９ａ，１９ｂ間の中央位置１６ｃまたは１９ｃを通る想定鉛直面ＶＹに設定されている。これらの挟持面１６または１９は単数の円弧曲線であってその曲率半径は５〜１００ｍｍに設定されている。
【００３１】
なお、図２（ｂ）に示す右目用まつ毛カ−ル器においては、前述した左目用まつ毛カ−ル器と比較して、上側挟持面１６の形態等と下側挟持面１９の形態等とが左右方向Ｙで互いに逆になっている点で異なるだけである。
【００３２】
図１〜３及び図５（ａ）に示すように、操作レバー１２を起こして後側壁部材３の左右両縦枠部４間に収容した不使用状態から、図４（ａ）に示すように操作レバー１２を倒した使用状態において、図４（ｂ）（ｃ）に示すように操作レバー１２を押し下げると、その操作レバー１２により押圧レバー１３が上方へ回動して可動体８を圧縮コイルばね７の付勢力に抗して持ち上げ、この可動体８はその下側挟持面１９で前記上側挟持面１６に当接した挟持位置Ｑで停止する。その挟持位置Ｑでは、下側挟持面１９の溝１８ａに上側挟持面１６が入り込んだ状態で下側挟持面１９が尖端縁１５の前後両面に圧接されて弾性体１８が図５（ｂ）（ｃ）に示すように圧縮されながら、その上下両挟持面１６，１９間により挟持されたまつ毛が上側挟持面１６により押し下げられて下側挟持面１９の溝１８ａに沿って屈曲される。その際、上下両挟持面１６，１９により略同一の挟持力でまつ毛を挟持する。図４（ｂ）（ｃ）に示す使用状態において、操作レバー１２を離すと、圧縮コイルばね７の付勢力により可動体８が下方へ移動するとともに押圧レバー１３が下方へ回動して図４（ａ）に示す使用状態に戻る。
【００３３】
一方、本実施形態の別例１として示す図６の模式図は、図５の模式図と比較して下記の点で異なる。
図５（ａ）に示すように、前記各想定鉛直面ＶＹが上下両挟持面１６，１９と交差する上下両交差部２０間の鉛直距離ＭＶは、上下両挟持面１６，１９の両端部１６ａ，１６ｂ，１９ａ，１９ｂ間全体にわたり等しく設定されているため、図５（ｂ）（ｃ）に示すように、上下両挟持面１６，１９はそれらの延設線全体にわたり同時に当接する。
【００３４】
図６（ａ）に示すように、その鉛直距離ＭＶが上下両挟持面１６，１９の両端部１６ａ，１６ｂ，１９ａ，１９ｂから前記最大高さ交差部２０Ｖに向うに従い次第に小さくなるように設定されているため、図６（ｂ）に示すように、上下両挟持面１６，１９の最大高さ交差部２０Ｖのみが互いに当接した状態で、上下両挟持面１６，１９間には隙間Ｇが生じる。その隙間Ｇは、最大高さ交差部２０Ｖから両端部１６ａ，１６ｂ，１９ａ，１９ｂに向うに従い次第に広がり、０．１〜３．０ｍｍに設定することが好ましい。その後、図６（ｃ）に示すように、上下両挟持面１６，１９はその隙間Ｇをなくすように弾性体１８を圧縮させながら最大高さ交差部２０Ｖ側から両端部１６ａ，１６ｂ，１９ａ，１９ｂ側へ次第に当接する。この隙間Ｇにより、図６（ｃ）の当接状態では、最大高さ交差部２０Ｖ側で最大の挟持力が生じ、両端部１６ａ，１６ｂ，１９ａ，１９ｂ側に至るに従い挟持力が小さくなる。
【００３５】
図７（ａ）（ｂ）に示す本実施形態の別例２は、図３（ａ）（ｂ）と比較して、挟持面１６，１９上の最大幅交差部２０Ｈが挟持面１６，１９の両端部１６ａ，１６ｂ，１９ａ，１９ｂ間の中央位置１６ｃ，１９ｃを通る想定鉛直面ＶＹよりも一方の端部１６ａ，１９ａ側に位置している点で異なる。
【００３６】
本実施形態は下記の効果を有する。
・  実際のまつ毛が鼻側に片寄ったへの字形状に湾曲しているばかりでなく顔面から前方へ膨らむように湾曲していることに鑑み、左目のまつ毛の形態や右目のまつ毛の形態に合った挟持面１６，１９の形態とすることにより、両挟持面１６，１９間でまつ毛を挟持する際に、まつ毛の形態に対しその挟持面１６，１９の形態を合わせ易くして、使い勝手を良くし、まつ毛のカ−ルを良好に行い得る左目専用または右目専用のまつ毛カ−ル器を提供することができる。
【００３７】
・  前述したように挟持面１６，１９の形態をまつ毛の形態にできる限り近付けるように各種改良することにより、まつ毛の形態に挟持面１６，１９の形態をより一層合わせ易くして使い勝手を良くすることができる。
【００３８】
前記実施形態以外にも例えば下記のように構成してもよい。
・  前記挟持面１６，１９の延設線全体については、曲線と直線との組み合わせにより形成してもよい。
【００３９】
・  前記挟持面１６，１９の延設線全体については、凸状曲線と凹状曲線との組み合わせにより形成してもよい。
・  前記挟持面１６，１９の延設線全体については、その延設線の一部または全部を前記想定傾斜面Ｓ上や前記領域Ｔの内側に位置させてもよい。
【００４０】
・  前記挟持面１６，１９の延設線全体については、複数の最大高さ交差部２０（２０Ｖ）や複数の最大幅交差部２０（２０Ｈ）を設けてもよい。
・  前記上下両挟持面１６，１９のうち下側挟持面１９は弾性体１８に設けられているが、上側挟持面１６も弾性体に設けてもよい。また、前記上下両挟持面１６，１９のうち下側挟持面１９も上側挟持面１６と同様に弾性体に設けることなく構成してもよい。
【００４１】
・  前記下側挟持面１９を形成した弾性体１８において溝１８ａを省略してもよい。
・  前記下側挟持面１９を形成した弾性体１８の予備を前記固定部材１に収容し得るようにしてもよい。
【００４２】
・  前記弾性体１８において左右方向Ｙの両端部間の水平距離は約２６ｍｍに設定されているため、まつ毛に対する一度の挟持でまつ毛の全体をカールすることができる。この水平距離は５〜３５ｍｍに設定することが好ましい。この水平距離を短くした場合には、まつ毛の一部だけを挟持してカールしたり、まつ毛に対する複数度の挟持でまつ毛の全体または一部をカールしたり、まつ毛を複数度挟持する際に挟持力を部分的に変更してカールすることができる。
【００４３】
・  前記上下両挟持面１６，１９のうち下側挟持面１９は可動体８に設けられているが、上側挟持面１６も可動体に設けてそれらの可動体を互いに接近離間させてもよい。
・  前記まつ毛カ−ル器は上まつ毛に使用されるが、まつ毛カ−ル器の全体を上下逆にして下まつ毛に使用したり、上側挟持面１６を有する上側挟持部と下側挟持面１９を有する下側挟持部において湾曲向きを上下逆にできるようにして下まつ毛に使用したりすることができる。
【００４４】
・  上側挟持面１６を有する上側挟持部と下側挟持面１９を有する下側挟持部とを本体に対し着脱可能に支持し、その上側挟持面１６の形態を互いに相違させた複数の上側挟持部とその下側挟持面１９の形態を互いに相違させた複数の下側挟持部とから適宜選択してそれらを互いに組み合わせて一つの本体に支持するようにしてもよい。
【００４５】
・  左目用まつ毛カ−ル器と右目用まつ毛カ−ル器とを一体的に合体させた左右両用まつ毛カ−ル器としてもよい。
【符号の説明】
【００４６】
１６…上側挟持面、１６ａ，１６ｂ…両端部、１６ｃ…中央位置、１９…下側挟持面、１９ａ，１９ｂ…両端部、１９ｃ…中央位置、２０…交差部、２０Ｖ…最大高さ交差部、２０Ｈ…最大幅交差部、Ｈ…想定水平面、ＶＹ…想定鉛直面、ＶＸ…想定鉛直面、ＬＶ…鉛直距離、ＬＨ…水平距離、Ｓ…想定傾斜面、Ｔ…領域、Ｆ…接線を含む面、θ…傾き角。
【図１】
2010162188.tif 000003
【図２】
2010162188.tif 000004
【図３】
2010162188.tif 000005
【図４】
2010162188.tif 000006
【図５】
2010162188.tif 000007
【図６】
2010162188.tif 000008
【図７】
2010162188.tif 000009